(57)【特許請求の範囲】
【請求項１】
隣接して連続設置される間仕切りの接合面に縦方向の溝を設け、この溝にパッキンの片側に設けられた嵌合突起帯を嵌合させると共に、嵌合突起帯の裏側に嵌合突起帯と逆向きに突出して設けられた遊嵌突起帯を隣接する他の間仕切りの溝に遊嵌させることで、隣接する各間仕切りをパッキンを介して接合した間仕切り接合構造において、遊嵌突起帯の側壁中程の両側に、遊嵌の際隣接する他の間仕切りの溝縁と密接するヒレ状体を設けたことを特徴とする間仕切り接合構造。
【請求項２】
間仕切りを箱状の収納家具としたことを特徴とする請求項１記載の間仕切り接合構造。
【請求項３】
溝を間仕切り側板外面の前後端部に設けたことを特徴とする請求項２記載の間仕切り接合構造。
【発明の詳細な説明】
【０００１】
【発明の属する技術分野】
本発明は、室内を仕切る間仕切り同士をパッキンを介して接合する間仕切り接合構造に関するものである。
【０００２】
【従来の技術】
従来から、パッキンを介して間仕切りを接合する間仕切り接合構造なるものが存在していた。例えば、特開２０００−１２９８３４の公開特許公報に記載された図３に示すような間仕切り接合構造が考案されていた。このものは、間仕切り（１）の接合面に溝（２）を設けると共に、この溝（２）と嵌合する嵌合突起帯（４）及びこの溝（２）と遊嵌する遊嵌突起帯（５）を備えたパッキン（３）を隣接する各間仕切り（１）の溝（２）に嵌め込んで各間仕切り（１）を接合する。
【０００３】
これにより、遊嵌突起帯（５）と遊嵌する溝（２）内に隙間が形成され、この隙間で施工誤差を吸収することで、施工の際の微調整が容易に行えるようにしていた。
【０００４】
【発明が解決しようとする課題】
しかしながら、上記従来の技術においては、溝（２）内に隙間を形成したがゆえに、その隙間から音が漏れてしまうという問題を抱えていた。
【０００５】
本発明は、上記事由に鑑みてなしたもので、その目的とするところは、施工誤差を吸収する隙間を確保しつつ、遮音性能を維持することのできるパッキンを介して各間仕切りを接合する間仕切り接合構造を提供することにある。
【０００６】
【課題を解決するための手段】
上記目的を達成するために、本発明の間仕切り接合構造にあっては、請求項１に記載したように、隣接して連続設置される間仕切りの接合面に縦方向の溝を設け、この溝にパッキンの片側に設けられた嵌合突起帯を嵌合させると共に、嵌合突起帯の裏側に嵌合突起帯と逆向きに突出して設けられた遊嵌突起帯を隣接する他の間仕切りの溝に遊嵌させることで、隣接する各間仕切りをパッキンを介して接合した間仕切り接合構造において、遊嵌突起帯の側壁中程の両側に、遊嵌の際隣接する他の間仕切りの溝縁と密接するヒレ状体を設けている。
【０００７】
これにより、施工誤差を吸収する隙間を確保しつつ、遮音性能を維持することができる。まずは、従来の技術と同様に遊嵌突起帯は溝に対して遊嵌するので、施工誤差を容易に吸収できる。更には、遊嵌突起帯に遊嵌の際溝縁と密接するヒレ状体を設けているので遊嵌により形成された隙間をヒレ状体で容易に塞ぐことができる。又、ヒレ状体は遊嵌突起帯の側壁中程に設けられており遊嵌突起帯は中程迄は緩めに挿入できる。その結果作業性を著しく損なうことなく溝に対して遊嵌突起帯を嵌めることができる。
また、ヒレ状体を遊嵌突起帯の両側に設けることにより、ヒレ状体による遮音性能を一層向上させることができる。片側だけの場合よりも、遊嵌突起帯の軸線を挟んで両側に設けたほうが密閉度が増す。又、溝内での遊嵌突起帯の偏りを低減させることができる。
【００１０】
又、本発明の間仕切り接合構造にあっては、請求項２に記載したように、間仕切りを箱状の収納家具としても良い。
【００１１】
この場合、間仕切りを収納家具として活用できる。間仕切りは部屋の壁として機能するものなので、この部分に収納機能を備えた間仕切りが配されることで部屋の使い勝手が向上する。
【００１２】
又、本発明の間仕切り接合構造にあっては、請求項３に記載したように、溝を間仕切り側板外面の前後端部に設けても良い。
【００１３】
この場合、接合が一層強固になる。片側端部での接合よりも前後端部での接合の方が接合強度が向上する。又、本発明は間仕切りなので前と後どちらにおいても部屋側から施工でき、パッキンが挿入不能に陥ることがない。即ち、間仕切りでない場合は、後端部のパッキンは手が届かない為に確実に溝に嵌めることができない。本発明は間仕切りであるがゆえに考案できる発明といえる。
【００１４】
【発明の実施の形態】
図１、２は、本発明の請求項１乃至５に対応する一実施の形態の間仕切り接合構造（Ａ）を示す説明図である。
【００１５】
この実施の形態の間仕切り接合構造（Ａ）は、請求項１に記載したように、隣接して連続設置される間仕切り（１）の接合面に縦方向の溝（２）を設け、この溝（２）にパッキン（３）の片側に設けられた嵌合突起帯（４）を嵌合させると共に、嵌合突起帯（４）の裏側に嵌合突起帯（４）と逆向きに突出して設けられた遊嵌突起帯（５）を隣接する他の間仕切り（１）の溝（２）に遊嵌させることで、隣接する各間仕切り（１）をパッキン（３）を介して接合した間仕切り接合構造において、遊嵌突起帯（５）の側壁中程に、遊嵌の際溝（２）縁と密接するヒレ状体（６）を設けている。
【００１６】
又、該実施の形態の間仕切り接合構造（Ａ）は、請求項２に記載したように、ヒレ状体（６）を遊嵌突起帯（５）の両側に設けてもいる。
【００１７】
又、該実施の形態の間仕切り接合構造（Ａ）は、請求項３に記載したように、間仕切り（１）を箱状の収納家具としてもいる。
【００１８】
又、該実施の形態の間仕切り接合構造（Ａ）は、請求項４に記載したように、溝（２）を間仕切り（１）側板外面の前後端部に設けてもいる。
【００１９】
図１、２に示すように、本実施の形態の間仕切り接合構造（Ａ）は、箱状の収納家具である間仕切り（１）と、間仕切り（１）同士を接合する際にその接合部に設けられるパッキン（３）からなる。間仕切り（１）は前面に開口と開口を塞ぐ扉や引出し等の開閉手段が設けてある。パッキン（３）は長尺材で平板部（７）と、平板部（７）表面に設けられた嵌合突起帯（４）と、平板部（７）裏面に設けられた遊嵌突起帯（５）とを備えてなる。
【００２０】
又、この実施の形態の間仕切り接合構造（Ａ）では、箱状の収納家具である間仕切り（１）を構成する側板外面における前端部および後端部それぞれに上下方向に伸びた溝（２）が設けられており、隣接する間仕切り（１）の側板外面間において対向した溝（２）に長尺なパッキン（３）が嵌められて、各間仕切り（１）が接合されるようになっている。ここで言う、側板外面の前端部および後端部とは、扉や引出し等の開閉手段が備えられている側、および背板が備えられている側のことをいう。
【００２１】
又、この実施の形態の間仕切り接合構造（Ａ）では、側板外面に設けられた上下方向に伸びる溝（２）の略全長に渡って長尺のパッキン（３）が嵌められ、そのパッキン（３）を介して各間仕切り（１）が接合されるので、隣接する各間仕切り（１）間に生じる隙間がパッキン（３）によって簡単に、且つ確実に塞がれるようになり、接合時の間仕切り（１）の外観性を向上することができる。もちろん、パッキン（３）を溝（２）に嵌め込むだけなので、特別な治具が不要で簡単に各間仕切り（１）の接合を実現することができる。
【００２２】
パッキン（３）は、間仕切り（１）それぞれの前後位置を揃えて接合することを可能ならしめるために、隣接する間仕切り（１）の側板外面間において対向した溝（２）の一方には嵌合され、他方には遊嵌されるようになっている。その為、パッキン（３）は、溝（２）の上下方向長さに対応した長尺な平板部（７）と、この平板部（７）の一対の対向平面部の一方の面に長手方向に沿って備えられた嵌合突起帯（４）および他方の面に長手方向に沿って備えられた遊嵌突起帯（５）とを有しており、嵌合突起帯（４）および遊嵌突起帯（５）それぞれが、隣接する間仕切り（１）の側板外面間において対向した溝（２）の一方に嵌合され、他方に遊嵌されている。
【００２３】
平板部（７）は、嵌合突起帯（４）および遊嵌突起帯（５）が溝（２）に嵌めこまれると、側板外面に隙間無く取り付いた状態となるので、パッキン（３）自体も安定する。又、間仕切り（１）の側板外面は、接合時には間にパッキン（３）が挟まるため、互いに接することがなく、傷や穴跡等が残らない。よって、その後間仕切り（１）を単体で使用しても、外観が損なわれずに見栄えが良いままで使用することができる。
【００２４】
嵌合突起帯（４）には、溝（２）の壁面に引っ掛かり、溝（２）から抜けにくくするための引掛り部（８）が、複数並んで断面が鋸歯状となるように配設されており、溝（２）に確実に嵌め込まれるようになっている。
【００２５】
遊嵌突起帯（５）は、溝（２）の幅よりもある程度細くなっており、溝（２）に嵌められた際に若干の隙間が溝（２）の壁面との間に生じるようになっている。更に、この隙間を塞ぐヒレ状体（６）を設けて密閉度の向上を図ってもいる。
【００２６】
したがって、以上説明した間仕切り接合構造（Ａ）によると、施工誤差を吸収する隙間を確保しつつ、遮音性能を維持することができる。まずは、従来の技術と同様に遊嵌突起帯（５）は溝（２）に対して遊嵌するので、施工誤差を容易に吸収できる。更には、遊嵌突起帯（５）に遊嵌の際溝（２）縁と密接するヒレ状体（６）を設けているので遊嵌により形成された隙間をヒレ状体（６）で容易に塞ぐことができる。又、ヒレ状体（６）は遊嵌突起帯（５）の側壁中程に設けられており遊嵌突起帯（５）は中程迄は緩めに挿入できる。その結果作業性を著しく損なうことなく溝に対して遊嵌突起帯（５）を嵌めることができる。
【００２７】
又、ヒレ状体（６）による遮音性能を一層向上させることができる。片側だけの場合よりも、遊嵌突起帯（５）の軸線を挟んで両側に設けたほうが密閉度が増す。又、溝（２）内での遊嵌突起帯（５）の偏りを低減させることができる。
【００２８】
又、間仕切り（１）を収納家具として活用できる。間仕切り（１）は部屋の壁として機能するものなので、この部分に収納機能を備えた間仕切り（１）が配されることで部屋の使い勝手が向上する。
【００２９】
又、接合が一層強固になる。片側端部での接合よりも前後端部での接合の方が接合強度が向上する。又、本発明は間仕切りなので前と後どちらにおいても部屋側から施工でき、パッキン（３）が挿入不能に陥ることがない。即ち、間仕切りでない場合は、後端部のパッキン（３）は手が届かない為に確実に溝（２）に嵌めることができない。本発明は間仕切りであるがゆえに考案できる発明といえる。
【００３０】
又、このようにパッキン（３）が一方の間仕切り（１）の溝（２）には嵌合され、他の間仕切り（１）の溝（２）には遊嵌されることによって、パッキン（３）が若干の遊びをもって遊嵌されている間仕切り（１）の前後位置を、パッキン（３）が確実に嵌合されている間仕切り（１）に対して調整することができる。つまり、溝（２）内の隙間分だけ間仕切り（１）を動かすことができるので、施工誤差を溝（２）内の隙間により吸収させて、隣接する間仕切り（１）の前後位置を面一にすることができ、よって、接合の位置精度の向上、ならびに外観のさらなる向上が実現されるようになる。
【００３１】
更に、各間仕切り（１）は、接合設置する際に上下左右にずれることがある。このとき、パッキン（３）が対向する溝（２）の両方に遊び無く嵌合されていると、パッキン（３）に無理な剪断力が働いてパッキン（３）が損傷する可能性があるが、上述したようにパッキン（３）を対向する溝（２）の一方には遊嵌しておくことにより、接合設置時に発生する間仕切り（１）の上下左右のずれを吸収して、パッキン（３）の損傷を防ぐことができ、また間仕切り（１）の接合設置を容易ならしめることができるようになる。
【００３２】
【発明の効果】
上述の如く、請求項１記載の発明によれば、施工誤差を吸収する隙間を確保しつつ、遮音性能を維持することができ、またヒレ状体を遊嵌突起帯の両側に設けることにより遮音性能を一層向上させることができる。
【００３４】
そして、請求項２記載の発明によれば、間仕切りを収納家具として活用できる。
【００３５】
そして、請求項３記載の発明によれば、接合が一層強固になる。
【図面の簡単な説明】
【図１】本発明の一実施の形態である間仕切り接合構造のパッキンを示す拡大断面図である。
【図２】（ａ）（ｂ）は該間仕切り接合構造の全体を示す概略平面図及び概略正面図であり、（ａ）に示したＢ部分の断面を拡大したものが図１である。
【図３】本発明の従来例である間仕切り接合構造のパッキンを示す拡大断面図である。
【符号の説明】
Ａ    間仕切り接合構造
１    間仕切り
２    溝
３    パッキン
４    嵌合突起帯
５    遊嵌突起帯
６    ヒレ状体
【図１】
0003575407.tif 000002
【図２】
0003575407.tif 000003
【図３】
0003575407.tif 000004